(57)【要約】【課題】放送番組を視聴中に出演者の発言や画面上の文字情報の中で気になった単語やキーワードについて、簡単な操作によって単語やキーワードの意味や詳細情報を取得することのできるデジタル放送受信機を提供する。【解決手段】デジタル放送受信機は、放送番組の情報からキーワードを取得するキーワード取得手段と、辞書データを記憶する辞書データ記憶部と、前記辞書データを検索して前記キーワードの意味または用例を検索する検索処理手段と、前記キーワードを画面に表示するキーワード表示手段と、前記検索の結果を画面に表示する検索結果表示手段とを有する。【選択図】図５
2015038652.tif 000002
【特許請求の範囲】
【請求項１】
放送番組の情報からキーワードを取得するキーワード取得手段と、
辞書データを記憶する辞書データ記憶部と、
前記辞書データを検索して前記キーワードの意味または用例を検索する検索処理手段と、
前記キーワードを画面に表示するキーワード表示手段と、
前記検索の結果を画面に表示する検索結果表示手段と
を有するデジタル放送受信機。
【請求項２】
前記キーワード取得手段は、音声データあるいは字幕データあるいは画像文字列データあるいはデータ放送データの中の一つまたは複数のデータ取得対象を設定する請求項１に記載のデジタル放送受信機。
【請求項３】
前記キーワード取得手段は、キーワードを取得する際に過去のキーワードの検索の傾向を反映するか否かを設定する請求項１に記載のデジタル放送受信機。
【請求項４】
取得したキーワードを記憶するキーワード記憶部を有する請求項１に記載のデジタル放送受信機。
【請求項５】
前記辞書データ記憶部は、国語辞典あるいは英和辞典あるは専門用語辞典等の複数の辞書データを記憶し、
前記検索処理手段は、前記複数の辞書データの中から前記キーワードの検索に使用する一つまたは複数の辞書データを設定する請求項１に記載のデジタル放送受信機。
【請求項６】
前記検索処理手段は、選択された前記キーワードについて検索する様式と検索された全てのキーワードについて検索する様式のいずれかを設定する請求項１に記載のデジタル放送受信機。
【請求項７】
前記キーワードの検索結果を記憶する検索結果記憶手段を有する請求項１に記載のデジタル放送受信機。
【請求項８】
前記検索結果表示手段は、画面に表示されたウィンドウ内に検索結果を表示する表示の様式あるいは画面にテロップ表示する様式あるいは出力しない様式の何れかを設定する請求項１に記載のデジタル放送受信機。
【発明の詳細な説明】
【技術分野】
【０００１】
本発明の実施形態は、デジタル放送受信機に関する。
【背景技術】
【０００２】
近年、地上デジタル放送、ＢＳ／ＣＳデジタル放送が本格的に運用され、多くの番組が高画質、高音質で視聴できる環境となった。また、テレビジョンセット等のデジタル放送受信機においては、放送番組を受像する機能のみならず、多くの機能が搭載されるようになってきており、通信機能を備え、インターネットなどのネットワークを介してさまざまな情報を取得することができるようになっている。
【０００３】
デジタル放送は、電子番組表（ＥＰＧ（Electronic Program Guide））の仕組みが備えられており、ＥＰＧ情報からキーワードを抽出し、抽出したキーワードの詳細情報を、ネットワークを介して収集するデジタル放送受信機が考案されている。
【先行技術文献】
【特許文献】
【０００４】
【特許文献１】特開２００９−７１６２３号公報
【発明の概要】
【発明が解決しようとする課題】
【０００５】
利用者が放送番組を視聴しているとき、例えば、出演者の発言の中で気になった言葉や画面に表示された文字情報の中で注目すべき単語が出現することがある。利用者はこの言葉や単語を記憶し、辞書を引いたり、あるいはデジタル放送受信機をネットワークに接続してネットワーク上を検索してこれらの言葉や単語を調べることができるが、複数の操作が必要であり、時間を要する。
【０００６】
本発明の目的は、上記したような事情に鑑み成されたものであって、放送番組を視聴中に出演者の発言や画面上の文字情報の中で気になった単語やキーワードについて、簡単な操作によって単語やキーワードの意味や詳細情報を取得することのできるデジタル放送受信機を提供することである。
【課題を解決するための手段】
【０００７】
上記目的を達成するために実施形態によれば、デジタル放送受信機は、放送番組の情報からキーワードを取得するキーワード取得手段と、辞書データを記憶する辞書データ記憶部と、前記辞書データを検索して前記キーワードの意味または用例を検索する検索処理手段と、前記キーワードを画面に表示するキーワード表示手段と、前記検索の結果を画面に表示する検索結果表示手段とを有する。
【図面の簡単な説明】
【０００８】
【図１】実施形態におけるデジタル放送受信機１の概観斜視図。
【図２】実施形態に係わるデジタル放送受信機の構成を示したブロック図。
【図３】実施形態におけるリモコンの概観図。
【図４】実施形態におけるキーワード辞書検索部の機能ブロック図。
【図５】画面にキーワード一覧表示ウィンドウが表示された状態を示した図。
【図６】画面に色ボタン表示ウィンドウが表示された状態を示した図。
【図７】画面にキーワードアイコンが表示された状態を示した図。
【図８】画面に検索結果一覧ウィンドウが表示された状態を示した図。
【図９】画面にテロップウィンドウが表示された状態を示した図。
【図１０】キーワード辞書検索設定の設定項目と階層構造を示した図。
【発明を実施するための形態】
【０００９】
以下実施形態について図面を参照しながら説明する。図１は、実施形態におけるデジタル放送受信機１の概観斜視図である。デジタル放送受信機１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１０】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー６の窓部５ａの内側の表示部分である。
【００１１】
リモコン８は赤外線あるいはBluetooth（登録商標）等による無線通信を利用して、デジタル放送受信機１の操作受信部へ操作信号を送る操作機器である。
【００１２】
図２は、実施形態に係るデジタル放送受信機１の構成を示したブロック図である。デジタル放送受信機１は、デジタル放送を受信可能であって、画面に放送番組の映像を表示するデジタルテレビ等の受信装置である。
【００１３】
アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１４】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部１４に出力される。また、復調器１３は、送受信部３４を介してインターネット等のネットワーク３５から受信したＩＰ放送を復調する。
【００１５】
デコード処理部１４は、ＭＰＥＧデコーダ、映像音声デコーダ等の機能を有する。デコード処理部１４は、復調器１３から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１６】
また、デコード処理部１４は、記録装置１５から入力された映像データ及び音声データをデコードする。更に、デコード処理部１４は、外部記憶装置３３から入力された映像データ及び音声データをデコードする機能を有する。
【００１７】
記録装置１５は、ＨＤＤ（Hard Disk Drive）、ＳＳＤ（Solid State Drive）あるいはＯＤＤ（Optical Disc Drive）等を含む記録手段である。記録装置１５には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部１４でデコードされる。
【００１８】
重畳処理部１６は、デコード処理部１４からの映像データと、バス２１を介して転送されるデータ放送やＧＵＩ（Graphical User Interface）制御部３８によるウィンドウ描画をプレーン管理して、映像データとの重ね合わせを行い、映像処理部１７に送る。
【００１９】
映像処理部１７は、表示装置１８で表示可能なフォーマット（画素数、フレーム周波数、走査方式）に変換したり、表示色を任意に調整したりして、表示装置１８に出力して映像を画面７に表示させる。
【００２０】
音声処理部１９は、デコード処理部１４から伝送されたデジタルの音声データを、スピーカ２０あるいはイヤーホーンで再生可能なアナログ音声信号に変換した後、スピーカ２０あるいはイヤーホーンに出力して音声を再生させる。なお、表示装置１８やスピーカ２０はデジタル放送受信機１の外部にあってもよい。またデジタル放送受信機１と別の筐体に納められていてもよい。
【００２１】
デジタル放送受信機１は、上記した受信動作を含むその全ての動作を制御部２２によって統括的に制御されている。制御部２２はＭＰＵ（Micro Processing Unit）２３が搭載されており、バス２１を介して接続された各構成要素を制御する。
【００２２】
ＲＡＭ（Random Access Memory）２４は、制御部２２のデータ処理に必要な各種データを格納するリードライトメモリであり、映像データ等を格納するバッファメモリとして動作する。ＲＯＭ（Read Only Memory）２５は読出し専用メモリであり、ＭＰＵ２３が実行する制御のプログラムなどを格納している。
【００２３】
フラッシュメモリ２６は、書き換え可能であり、電源を切ってもデータが消えない不揮発性の半導体メモリである。フラッシュメモリ２６は、視聴履歴情報、録画番組情報、録画予約情報等を記憶する機能を有する。またフラッシュメモリ２６は、辞書データ記憶部２７、キーワード記憶部２８、検索結果記憶部２９の機能を有する。
【００２４】
操作受信部３０は、操作機器３１から送信される操作信号を受信し、制御部２２に転送する。操作機器３１は、例えば、赤外線あるいはBluetooth（登録商標）等による無線通信を利用したリモコン（リモートコントローラ、remote controller）８、有線式あるいは無線式キーボード等であり、操作信号を送出する。操作受信部３０は、これらリモコン８、キーボード等から操作信号を受信する。
【００２５】
外部インターフェース３２は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、あるいはＨＤＭＩ（High Definition Multimedia Interface）（登録商標）等のインターフェースであり、ＵＳＢメモリやＵＳＢ外部機器、ＳＤメモリカード、ＨＤＤ、ＳＳＤ、ＣＤ、ＤＶＤ、Blu-ray（登録商標）記録再生機等のドライブ類を含む外部記憶装置３３が接続される。外部記憶装置端子３２ａは外部記憶装置３３が接続される端子である。
【００２６】
外部インターフェース３２を介して外部記憶装置３３に放送番組を記録することができる。記録装置１５または外部記憶装置３３のどちらに記録するかを利用者が選択できる。また、デジタル放送受信機１は、外部記憶装置３３に記録された映像または音声情報を再生することができる。
【００２７】
デジタル放送受信機１は、送受信部３４を介してインターネット等のネットワーク３５に接続されている。これにより、デジタル放送受信機１は、ネットワーク３５上にあるサーバ３６等の機器と送受信部３４を介して情報伝送を行なうことができる。ネットワーク端子３４ａはネットワーク３５が接続される端子である。
【００２８】
図２において、制御部２２は、記録管理部３７、ＧＵＩ制御部３８、キーワード辞書検索部３９の機能を有する。これらの機能は、制御部２２のＭＰＵ２３が実行するアプリケーションであり、通常はＲＯＭ２５に格納されており、使用時にはＭＰＵ２３によって読み出され実行される。
【００２９】
記録管理部３７は、利用者の要求に基づいて設定された放送番組の予約情報を管理する。また、記録管理部３７は、予約された番組の記録処理、また視聴中の番組の記録処理を行う。さらに、記録管理部３７は、記録装置１５に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ２６、または記録装置１５に記録し、録画番組の情報を管理する。記録管理部３７は、録画番組リストの生成、録画番組の再生や削除、編集等の処理を実行する。
【００３０】
ＧＵＩ制御手段３８は、ＧＵＩ（Graphical User Interface）データを生成し、この生成されたＧＵＩデータはバス２１を介して重畳処理部１６へ送信される。重畳処理部１６に送付されたＧＵＩデータは、例えば放送番組の映像データに重畳処理されたり、あるいはＧＵＩ単独画面として処理され、映像処理部１７へ伝送される。
【００３１】
キーワード辞書検索部３９は、放送番組の番組情報あるいは音声情報からキーワードを取得してこのキーワードを画面に表示し、辞書データ記憶部２７が記憶する辞書データを用いてキーワードの意味や用例などを検索し、検索結果を画面に表示する機能を有する。
【００３２】
図３は、実施形態に係わるリモコン８の概観図である。リモコン８は赤外線あるいはBluetooth（登録商標）等による無線通信を利用して、デジタル放送受信機１の操作受信部３０へ操作信号を送る。電源ボタン５０は、デジタル放送受信機１の電源をオンまたはオフする。詳細にはデジタル放送受信機１を待機状態から動作状態、または動作状態から待機状態にするボタンである。
【００３３】
選局ボタン５１は、放送のチャンネル番号を直接選択する１から１２までの番号が振られたボタンである。チャネル送りボタン５２は、チャネル番号を順送りまたは逆送りで選局するボタンであり、選局ボタン５０と同様にチャネルを選局するときに用いられる。音量調整ボタン５３は、番組を視聴するときのスピーカの音量を調整するボタンである。
【００３４】
カーソルボタン５４は表示装置１８の画面７に表示されたＧＵＩ画面の各種の情報ウィンドウ内のカーソルの移動や各種項目の選択ボタンの移動を行うためのボタンである。カーソルボタン５４は十字ボタン、方向指示ボタンとも呼ばれる。左方向カーソルボタン５４ａはカーソルを左方向に移動させるときに用いるボタンである。右方向カーソルボタン５４ｂ、上方向カーソルボタン５４ｃ、下方向カーソルボタン５４ｄはそれぞれカーソルを右方向、上方向、下方向に移動させるときに用いる。決定ボタン５５は、カーソルボタン５４ａ〜５４ｄで移動した先の位置または画面上のボタンを実行するときに用いられる。
【００３５】
番組表ボタン５６は、番組表を画面７に表示するときに操作する専用の操作ボタンである。メニューボタン５７は、デジタル放送受信機１に用意された各種の設定メニューを表示するときに押下するボタンである。利用者は、階層表示された複数の項目の中から目的の設定項目をカーソルボタン５４を用いて選択する。戻るボタン５８は一つ前の操作段階の画面へ戻るときに使うボタンである。終了ボタン５９は、一連の操作を終了するときに操作するボタンである。
【００３６】
４色の色ボタン６０は、左から青ボタン６０ａ、赤ボタン６０ｂ、緑ボタン６０ｃ、黄ボタン６０ｄの順に配置されている。画面７上に色により区別された項目や色による選択の表示があるときに使用する。記録装置操作ボタン６０は、デジタル放送受信機１の記録装置１５に記録された番組を再生する際に、再生、停止、一時停止、早送り再生、早戻し再生、次番組スキップ、先頭戻り・前番組スキップするためのボタンである。
【００３７】
キーワード表示ボタン６２は、キーワード辞書検索部３９が放送番組の番組情報あるいは音声情報から取得したキーワードの一覧（キーワード一覧表示ウィンドウ）を画面に表示するときに操作するボタンである。検索結果表示ボタン６３は、キーワード辞書検索部３９が辞書データを用いてキーワードの意味や用例などを検索した結果の一覧（検索結果一覧ウィンドウ）を画面に表示するときに操作するボタンである。
【００３８】
図４は、キーワード辞書検索部３９の機能ブロック図である。キーワード辞書検索部３９は、キーワード取得部４０、キーワード表示部４３、検索処理部４４、検索結果表示部４７、辞書更新部４８により構成されている。
【００３９】
キーワード取得部４０は、取得対象設定部４１、傾向反映設定部４２の機能を含む。取得対象設定部４１は、キーワードのデータ取得対象として、音声データあるいは字幕データあるいは画像文字列データあるいはデータ放送データの４種類の中から１個または複数のデータ取得対象を設定する。この設定は画面７に表示されたキーワード辞書検索設定によって利用者が設定できる。
【００４０】
取得対象設定部４１が、データ取得対象として音声データを設定した場合は、キーワード取得部４０は、デコード処理部１４でデコードされた音声データに対して音声認識アプリケーションを適用することによってキーワードを抽出し取得する。音声認識アプリケーションは、人の話す音声言語を解析し、話している内容を文字データとして抽出する。
【００４１】
取得対象設定部４１が、データ取得対象として字幕データを設定した場合は、キーワード取得部４０は、字幕データに対してメタデータ認識アプリケーションを適用することによってキーワードを抽出し取得する。字幕データは例えば、ＥＰＧデータの中の放送時間や出演者のデータ、番組内容の表示のようなデータと同類のメタデータとして扱うことができ、メタデータ認識アプリケーションを適用することができる。
【００４２】
取得対象設定部４１が、データ取得対象として画像文字列データを設定した場合は、キーワード取得部４０は、画像文字列データに対してテロップ認識アプリケーションを適用することによってキーワードを抽出し取得する。テロップ認識アプリケーションは、画面に表示されている画像文字列データを検出し、テロップ文字として認識して、テキストコードに変換する。
【００４３】
取得対象設定部４１が、データ取得対象としてデータ放送データを設定した場合は、キーワード取得部４０は、データ放送データに対してメタデータ認識アプリケーションを適用することによってキーワードを抽出し取得する。データ放送データは、カルーセル型と呼ばれる形式で放送され、一定の周期で繰返し送出され受信機においてＲＡＭ２４に蓄積され、映像、音声に展開される。キーワード取得部４０は、ＲＡＭ２４からデータ放送データを吸い出してメタデータ認識アプリケーションを適用する。
【００４４】
傾向反映設定部４２は、キーワードを抽出し取得する際、検索結果記憶部２９のデータを参照して、過去の検索傾向をキーワードの取得に反映させるか否かの設定をする。この設定は画面７に表示されたキーワード辞書検索設定によって利用者が設定できる。
【００４５】
キーワードの抽出に過去の傾向を反映させるよう設定した場合、例えば、過去に国語辞典に載っているような一般用語の辞書検索実績が少なく、ＩＴ（Information Technology）用語辞典に載っているような専門用語の検索実績が多い場合は、専門用語を優先して抽出し、一般用語の抽出は控え目にする。また、すでに検索した実績のあるキーワードについても抽出を控え目にする。
【００４６】
キーワード取得部４０は、データ取得対象からキーワードを取得すると、一端ＲＡＭ２４に格納させた後にキーワード記憶部２８に記憶させる。
【００４７】
キーワード表示部４３は、取得したキーワードをＲＡＭ２４またはキーワード記憶部２８から取り出し、画面７に表示する機能を有する。表示様式は複数あり、例えば、一覧表示、色ボタン対応表示、アイコン表示、無表示（表示無し）がある。無表示は新たなキーワードを抽出しても何も表示しない。一覧表示は、リモコン８のキーワード表示ボタン６２を押下することによりキーワードの一覧を画面に表示する様式である。
【００４８】
図５は、画面７にキーワード一覧表示ウィンドウ７１が表示された状態を示した図である。リモコン８のキーワード表示ボタン６２を押下すると、キーワード一覧表示ウィンドウ７１が、画面７の右側あるいは左側に表示される。画像７０は全画面表示状態から縮小表示された画像である。キーワード表示ボタン６２を押下した時点で最も新しく取得されたキーワードを一番上に表示し、下方へ新しい順に表示される。表示された直後は、一番上のキーワードがハイライト表示されている。カーソルボタン５４ｃ、５４ｄを操作することによってハイライトさせるキーワードを変えることができる。決定ボタン５５を押下するとハイライトされたキーワードの検索処理が行われ、検索結果が画面下の検索結果表示ウィンドウ７２に表示される。
【００４９】
色ボタン対応表示は、画面７の下部に４個の色ボタン表示ウィンドウを表示し、その４個の色ボタン表示ウィンドウに最新の４個のキーワードを表示する様式である。この色ボタン対応表示は、キーワード辞書検索設定の中のキーワード表示設定により設定できる。リモコン８の４個の色ボタン６０ａ〜６０ｄに対応させて、対応する色ボタンを押下すると、このキーワードについて辞書検索する。
【００５０】
図６は、画面７に色ボタン表示ウィンドウが表示された状態を示した図である。４個の色ボタン表示ウィンドウは、青色枠あるいは青色背景の青色ウィンドウ７４、赤色枠あるいは赤色背景の赤色ウィンドウ７５、緑色枠あるいは緑色背景の緑色ウィンドウ７６、黄色枠あるいは黄色背景の黄色ウィンドウ７７である。この中にキーワードが表示される。
【００５１】
最も新しいキーワードは黄色ウィンドウ７７に表示される。新しいキーワードが取得されると、右端の黄色ウィンドウ７７の中に表示され、それまで表示されていたキーワードは左側に１個ずつシフトする。従って、それまで青色ウィンドウ７４に表示されていたキーワードは表示されなくなる。表示されなくなったキーワードを表示させるには左カーソルボタン５４ａを押下して、移動ボタン７８を選択し決定することにより、図５で示したキーワード一覧表示ウィンドウ７１を表示することができる。
【００５２】
アイコン表示は、新たなキーワードの抽出、取得の度に、画面隅にキーワードアイコンを所定時間表示させ利用者に新しいキーワードが抽出されたことを知らせる。このアイコン表示は、キーワード辞書検索設定の中のキーワード表示設定により設定できる。
【００５３】
図７は、画面７にキーワードアイコン７９が表示された状態を示した図である。キーワードアイコン７９は新しいキーワードが抽出されと、例えば３〜５秒間画面隅に表示される。キーワードの内容は表示しない。利用者がキーワードを知りたい場合には、リモコン８のキーワード表示ボタン６２を押下してキーワード一覧表示ウィンドウ７１を表示させればよい。
【００５４】
検索処理部４４は、利用者によって選択されたキーワードを辞書データ記憶部２７に記憶された各辞書データから検索する。検索処理部４４は、辞書設定部４５と検索様式設定部４６の機能を含む。辞書設定部４５は、キーワードの意味や用例等を検索するときに使用する辞書を設定する。複数の辞書を設定することができる。辞書設定は、キーワード辞書検索設定の中の検索処理設定の辞書設定により設定できる。複数の辞書を使用した場合には、それぞれの辞書で検索した結果を全て出力する。また類似語や反対語なども検索する。
【００５５】
検索様式設定部４６は、ユーザが指定したキーワードによるキーワード検索を行うか、または、自動検索を行うかの設定をする。キーワード検索は、キーワード一覧表示ウィンドウ７１に表示されたキーワードを利用者が選択してキーワード毎に検索する。自動検索は、抽出したキーワード全てについて辞書検索を自動で行う。
【００５６】
検索処理部４４は、キーワードについて検索した結果を一旦ＲＡＭ２４に格納させた後で検索結果記憶部２９に記憶させる。
【００５７】
検索結果表示部４７は、キーワードの検索結果をＲＡＭ２４または検索結果記憶部２９から取り出し、画面７に表示する機能を有する。表示形式は複数あり、ウィンドウ表示、一覧表示、テロップ表示、無表示（表示しない）の形式がある。ウィンドウ表示は、図５に示したように、利用者が、カーソルボタン５４を操作してキーワードを選択し決定ボタン５５を押下するとキーワードの検索処理が行われ、検索結果が画面下の検索結果表示ウィンドウ７２に表示される。
【００５８】
図８は、画面７に検索結果一覧ウィンドウ８０が表示された状態を示した図である。一覧表示は、画面に検索一覧ウィンドウを画面に表示する。リモコン８の検索結果表示ボタン６３を押下することにより、画面７に検索結果一覧ウィンドウ８０が表示される。１画面で表示しきれない検索結果は上下カーソルキーなどでスクロール表示を行う。検索結果一覧ウィンドウ８０を閉じるときは、リモコン８の終了ボタン５９を押下する。
【００５９】
図９は、画面７にテロップウィンドウ８１が表示された状態を示した図である。テロップ表示は、画面７の下部にスクロール表示する表示形式である。自動検索とテロップ表示を同時に設定すると、視聴している番組内で新しいキーワードが取得されると、自動的に検索され、画面にテロップで表示されるため、利用者はリモコンの操作が不要となる。
【００６０】
辞書更新部４８は、辞書データ記憶部２７の辞書データを更新したり、新しい辞書データを辞書データ記憶部２７に記憶させる機能を有する。辞書更新部４８は、放送波から送信された辞書データを取り込んだり、送受信部３４を介してネットワーク３５上のサーバから辞書データを取り込むことができる。
【００６１】
図１０は、キーワード辞書検索設定の設定項目と階層構造を示した図である。キーワード辞書検索設定は、３段の階層になっており、第１階層にキーワード取得設定、キーワード表示設定、検索処理設定、検索結果表示設定がある。第２階層に取得対象設定、過去傾向反映設定、辞書設定、検索様式設定がある。第３階層に音声データ、字幕データ、画像文字列データ、データ放送、色ボタン対応表示、アイコン表示、無表示、各種辞書データ、キーワード指定、自動検索、ウィンドウ表示、一覧表示、テロップ表示、無表示がある。利用者は、画面に表示された設定項目を選択して、第１段階から第３段階までの設定を行うことができる。
【００６２】
以上のように、放送番組の番組情報あるいは音声情報からキーワードを取得してこのキーワードを画面に表示し、辞書データ記憶部２７が記憶する辞書データを用いてキーワードの意味や用例などを検索し、検索結果を画面に表示することによって、放送番組を視聴中に出演者の発言や画面上の文字情報の中で気になった単語やキーワードについて、簡単な操作によって単語やキーワードの意味や詳細情報を取得することができる。
【００６３】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６４】
１  デジタル放送受信機
７  画面
８  リモコン
１４  デコード処理部
１６  重畳処理部
１７  映像処理部
１８  表示装置
２２  制御部
２３  ＭＰＵ
２４  ＲＡＭ
２５  ＲＯＭ
２６  フラッシュメモリ
２７  辞書データ記憶部
２８  キーワード記憶部
２９  検索結果記憶部
３８  ＧＵＩ制御部
３９  キーワード辞書検索部
４０  キーワード取得部
４３  キーワード表示部
４４  検索処理部
４７  検索結果表示部
４８  辞書更新部
【図１】
2015038652.tif 000003
【図２】
2015038652.tif 000004
【図３】
2015038652.tif 000005
【図４】
2015038652.tif 000006
【図５】
2015038652.tif 000007
【図６】
2015038652.tif 000008
【図７】
2015038652.tif 000009
【図８】
2015038652.tif 000010
【図９】
2015038652.tif 000011
【図１０】
2015038652.tif 000012